(57)【要約】【課題】  メダル回収をできるだけ簡単に短時間で行うことができるようにすることによって、従業員等の負担軽減を目的とする。【解決手段】  メダル処理システム（１）を、メダルの払出方向を切り替える切替機構（１４）を有するメダル払出装置（９）と、当該メダル払出装置各々にメダル補給を行うメダル補給機構（２）と、当該メダル払出装置各々から払い出されたメダルを回収するメダル回収機構（２１）と、システム制御装置（５１）と、を含めて構成する。システム制御装置の指示によりメダル払出方向を当該メダル回収機構の方向に切り替え当該メダル回収機構の作用によってメダル回収可能に構成する。【選択図】  図１
2006247256.tif 000002
【特許請求の範囲】
【請求項１】
メダル遊技機に使用するメダルの処理を行うメダル処理システムであって、
複数台のメダル遊技機各々の内部に設けられたメダル払出装置と、
当該メダル払出装置内のメダルを払い出す払出方向を切り替える切替機構と、
当該メダル払出装置各々にメダル補給を行うメダル補給機構と、
当該メダル払出装置各々から払い出されたメダルを回収するメダル回収機構と、
システム制御装置と、を含めて構成してあり、
当該切替機構が、メダル遊技機が遊技可能状態にあるときはメダル遊技機に設けられたメダル受け皿の方向に、メダル回収状態にあるときは当該メダル回収機構の方向に、メダル払出方向を切り替えるように構成してあり、
当該システム制御装置が、メダル回収指令に基づいて、当該メダル補給機構のメダル補給を停止させ、当該メダル払出装置各々の切替機構のメダル払出方向を当該メダル回収機構の方向に切り替えさせ、さらに、当該メダル払出装置を駆動させ得るように構成してある
ことを特徴とするメダル処理システム。
【請求項２】
前記システム制御装置が、複数台のメダル遊技機を備える遊技場を管理するホールコンピュータを含めて構成してあり、
当該ホールコンピュータが出力する閉店信号が、直接又は間接に前記メダル回収指令となるように構成してある
ことを特徴とする請求項１記載のメダル処理システム。
【請求項３】
前記システム制御装置が、前記ホールコンピュータが出力する開店信号に基づいて、前記メダル払出装置各々の切替機構にメダルの払出方向を当該メダル受け皿の方向に切り替えさせ、当該メダル補給機構を駆動させ所望枚数のメダルを当該メダル払出装置各々に補給させ得るように構成してある
ことを特徴とする請求項２記載のメダル処理システム。
【請求項４】
前記メダル補給機構が補給するメダル数をカウントする補給カウントセンサーと、前記メダル払出装置が払い出すメダル数をカウントする払出カウントセンサーと、前記システム制御装置が備える表示部と、を含めて構成してあり、
前記システム制御装置が、当該補給カウントセンサー及び当該払出カウントセンサーから受けたメダルカウント信号に基づいてメダル収支を管理可能、かつ、少なくとも回収したメダル数を当該回収に係るメダル遊技機の台番号とともに当該表示部に表示可能に構成してある
ことを特徴とする請求項１乃至３何れか記載のメダル処理システム。
【発明の詳細な説明】
【技術分野】
【０００１】
本発明は、スロットマシンやパチスロのようなメダル遊技機を備える遊技場において、メダル処理を行うメダル処理システムに関する。
【背景技術】
【０００２】
メダル遊技機を備える遊技場では、メダルの洗浄や点検等のために、閉店後に各メダル遊技機からメダル回収を行っている。回収される前のメダルは、各メダル遊技機内部に設けられているメダル払出装置内に貯留されるが、このメダルの回収はそのメダル払出装置の払出機能を用いて行われる。メダル払出装置には、遊技中に行うメダル払出機能のほかに、貯留するメダルを強制的に払い出させる強制払出機能が設けられていて、これらの払出機能によってメダル受け皿にメダルが払い出されるようになっている。メダル回収を行おうとする従業員等は、並列する複数台のメダル払出装置の一台一台について強制払出スイッチを操作してメダルを払い出させたのち、払い出されたメダルをメダル受け皿から逐次手作業で回収する。
【発明の開示】
【発明が解決しようとする課題】
【０００３】
上記した強制払出スイッチは、遊技客が操作できるものであってはならないためメダル遊技機内部に設けられている。したがって、強制払出スイッチの操作は、メダル遊技機のドアを開放しないとできないようになっている。このため、メダル回収を行おうとする従業員等は、メダル遊技機一台一台のドアを開けて強制払出スイッチを操作し、一台一台のメダル受け皿に払い出されたメダルを手作業で回収するという、きわめて煩雑な作業を行わなければならなかった。煩雑な作業であるため、メダル回収に長時間が必要となり、これが、従業員等に過大な負担をかけていた。本発明が解決しようとする課題は、上記実情を改善することにあり、メダル遊技場におけるメダル回収をできるだけ簡単に短時間で行うことができるようにすることによって、その分、従業員等が行うメダル処理の負担を軽減し、メダルの管理を行うことを目的とする。
【課題を解決するための手段】
【０００４】
上記した目的を達成するために本発明は、次の構成を備えている。なお、何れかの請求項記載の発明を説明するに当たって行う用語の定義等は、その性質上可能な範囲において他の請求項記載の発明にも適用があるものとする。
【０００５】
（請求項１記載の発明の特徴）
請求項１記載の発明に係るメダル処理システム（以下、適宜「請求項１の処理システム」という）は、メダル遊技機に使用するメダルの処理を行うメダル処理システムである。具体的には、複数台のメダル遊技機各々の内部に設けられたメダル払出装置と、当該メダル払出装置内のメダルを払い出す払出方向を切り替える切替機構と、当該メダル払出装置各々にメダル補給を行うメダル補給機構と、当該メダル払出装置各々から払い出されたメダルを回収するメダル回収機構と、システム制御装置と、を含めて構成してある。この構成における当該切替機構が、メダル遊技機が遊技可能状態にあるときはメダル遊技機に設けられたメダル受け皿の方向に、メダル回収状態にあるときは当該メダル回収機構の方向に、メダル払出方向を切り替えるように構成してあり、当該システム制御装置が、メダル回収指令に基づいて、当該メダル補給機構のメダル補給を停止させ、当該メダル払出装置各々の切替機構のメダル払出方向を当該メダル回収機構の方向に切り替えさせ、さらに、当該メダル払出装置を駆動させ得るように構成してある。メダル回収機構も駆動を必要とするものであるなら、併せてメダル回収機構も駆動させるように構成するとよい。なお、メダル払出方向の切替には、たとえば、単一のメダルシュートを駆動して払出方向を切り替える方法や、複数のメダルシュートを配置しておき何れかを開放するとともに他方を閉鎖する方法がある。
【０００６】
請求項１の処理システムによれば、メダル払出装置の基本的機能は、メダル遊技機が遊技状態にあるとき、その遊技の進行に伴いメダル払出を行う。メダル払出はメダルシュートを介して行われるが、このときのメダル払出は遊技プログラムによって制御され、メダルシュートはメダル受け皿方向に向かされている。メダル処理システムを制御するシステム制御装置は、メダル回収指令に基づいてメダル回収を行う。具体的には、メダル補給機構のメダル補給を不能とする。現にメダル補給が行われているのであれば、そのメダル補給を中止させた後又はメダル補給完了した後に、中止又は完了後のメダル補給ができないようにする。現にメダル補給が行われていないのであれば、そのままその後のメダル補給を不能とすればよい。メダル補給がなされるとメダル回収がいつまでも続くことになり不都合であるから、そのような不都合を回避するためである。切替機構に指令を送りメダルシュートをメダル回収機構の方向に切り替えさせ、さらに、メダル払出装置を駆動させる。メダル回収機構が駆動を必要とするものである場合は、これも併せて駆動させる。上記したメダル補給不能と、メダルシュートの払出方向切替と、メダル払出装置の駆動の三者は、メダル回収が行われる限りどのような順番で行われてもかまわない。また、上記した回収指令は、メダル回収の契機となるものであればどのようなものであってもよく、たとえば、従業員等による制御装置の操作やホールコンピュータが出力する閉店信号等がこれに該当する。
【０００７】
（請求項２記載の発明の特徴）
請求項２記載の発明に係るメダル処理システム（以下、適宜「請求項２の処理システム」という）では、請求項１の処理システムの構成を備えさせた上で、前記システム制御装置が、複数台のメダル遊技機を備える遊技場を管理するホールコンピュータを含めて構成してあり、当該ホールコンピュータが出力する閉店信号が、直接又は間接に前記メダル回収指令となるように構成してある。
【０００８】
請求項２の処理システムによれば、請求項１の処理システムの作用効果に加え、次の作用効果を奏する。すなわち、遊技場の閉店時間が到来し、これに基づいてホールコンピュータが自動又は手動で閉店信号を出力する。この閉店信号が直接にメダル回収指令を示す信号となり又は閉店信号に基づいてメダル回収指令を示す信号が生成され間接的にシステム制御装置に伝えられる。したがって、請求項２の処理システムは、メダル遊技場の閉店に伴いメダル回収を開始する。閉店からメダル回収までに従業員等が何らかの作業を行う必要がない。つまり、メダル回収の面において従業員の時間的・労力的負担が軽減される。
【０００９】
（請求項３記載の発明の特徴）
請求項３記載の発明に係るメダル処理システム（以下、適宜「請求項３の処理システム」という）では、請求項２の処理システムの基本的構成を備えさせた上で、前記システム制御装置が、前記ホールコンピュータが出力する開店信号に基づいて、前記メダル払出装置各々の切替機構にメダルの払出方向を当該メダル受け皿の方向に切り替えさせ、当該メダル補給機構を駆動させ所望枚数のメダルを当該メダル払出装置各々に補給させ得るように構成してある。
【００１０】
請求項３の処理システムによれば、請求項２の処理システムの作用効果に加え、次の作用効果を奏する。すなわち、遊技場の開店時間が到来し、これに基づいてホールコンピュータが開店信号を出力する。この開店信号が直接にメダル補給指令を示す信号となり又は開店信号に基づいてメダル補給指令を示す信号が生成され間接的にシステム制御装置に伝えられる。メダル補給指令を受けたシステム制御装置は、メダルシュートの払出方向をメダル受け皿方向に戻し、メダル補給機構を駆動させる。メダル補給機構は、メダル払出装置各々に所望数のメダルを補給する。メダル補給の完了により、遊技可能な状態となる。したがって、請求項３の処理システムは、メダル遊技場の開店に伴いメダル補給を開始する。開店からメダル補給までに従業員等が何らかの作業を行う必要がない。つまり、メダル補給の面において従業員の時間的・労力的負担が軽減される。
【００１１】
（請求項４記載の発明の特徴）
請求項４記載の発明に係るメダル処理システム（以下、適宜「請求項４の処理システム」という）では、請求項１乃至３何れかの処理システムの基本的構成を備えさせた上で、前記メダル補給機構が補給するメダル数をカウントする補給カウントセンサーと、前記メダル払出装置が払い出すメダル数をカウントする払出カウントセンサーと、前記システム制御装置が備える表示部と、を含めて構成してあり、前記システム制御装置が、当該補給カウントセンサー及び当該払出カウントセンサーから受けたメダルカウント信号に基づいてメダル収支を管理可能、かつ、少なくとも回収したメダル数を当該回収に係るメダル遊技機の台番号とともに当該表示部に表示可能に構成してある。
【００１２】
請求項４の処理システムによれば、請求項１乃至３何れかの処理システムの作用効果に加え、次の作用効果を奏する。すなわち、システム制御装置は、補給メダル数及び払出メダル数（回収メダル数）の何れをも把握可能であることから、上記二者を演算することによって、メダルの過不足の有無を認識可能な状態にする。つまり、何れのメダル払出装置も空の状態において補給したメダル数は、メダル払出装置各々が貯留するすべてのメダル数と等しいことになり、その後、この全メダル数からメダル払出装置各々が払い出したメダル数を差し引いた残メダル数が把握される。そして、最後に回収したメダル数を把握して、上記残メダル数と同数であればメダル過不足はない、すなわち、メダル処理の過程で不正や故障等が生じていなかったことが認識される。他方、回収メダル数が残メダル数よりも少ないときは、メダルが抜き取られたことやカウントセンサーの故障等を疑うべきである。また、回収メダル数が残メダル数よりも多いときも、カウントセンサーの故障等を疑うべきであろう。このように、補給メダル数、払出メダル数及び回収メダル数を把握し、これら二者を適宜比較することによって、当該メダル処理システムに対する不正や故障等の迅速な認識が可能となり、この認識に基づいて不正防止や故障修理等の適切な措置を講ずる重要な契機を手にすることができる。さらに、上記した認識は、表示部が回収したメダル数を台番号とともに表示することによって、さらに、深く確実なものとなる。
【００１３】
前記メダル補給機構が補給するメダル数をカウントする補給カウントセンサーと、前記メダル払出装置が払い出すメダル数をカウントする払出カウントセンサーと、前記システム制御装置が備える表示部と、を含めて構成してあり、
前記システム制御装置が、当該補給カウントセンサー及び当該払出カウントセンサーから受けたメダルカウント信号に基づいてメダル収支を管理可能、かつ、少なくとも回収したメダル数を当該回収に係るメダル遊技機の台番号とともに当該表示部に表示可能に構成してある。
【発明の効果】
【００１４】
本発明に係るメダル処理システムを使用すれば、メダル遊技機一台一台を操作することなくメダル回収を行うことができるので、メダル遊技場におけるメダル回収を簡単に短時間で行うことができる。したがって、メダル遊技場に従事する従業員等が行うメダル処理の負担を軽減することができる。
【発明を実施するための最良の形態】
【００１５】
各図を参照しながら、本発明の実施形態（以下、適宜「本実施形態」という）について説明する。図１は、メダル供給機構を備えたメダル遊技機島の正面図である。図２は、搬送レールとメダル払出装置との関係を示す拡大平面図である。図３は、搬送レールの拡大平面図である。図４は、搬送ボール群の拡大側面図である。図５は、メダル処理システムの全体を示すブロック図である。図６は、ホールコンピュータの表示部を示す図である。図７は、閉店後におけるメダルシュートの払出方向の切替手順を示すフローチャートである。図８は、メダル回収の動作手順を示すフローチャートである。図９は、開店後におけるメダルシュートの払出方向の切替手順を示すフローチャートである。図１０は、払出装置制御部から信号を受信したときのホールコンピュータの動作手順を示す図である。
【００１６】
（メダル処理システムの設置）
図１を参照する。符号１０１は、メダル遊技場に設置したメダル遊技機島を示している（２点鎖線で表示）。メダル遊技機島１０１は、図１の紙面厚み方向に背中合わせで、図１に示すように長さ方向並列（横並び）に配した複数のメダル遊技機１０３，・・（メダル遊技機群１０３）及び各メダル遊技機１０３間に配したメダル貸機１０９（メダル貸機群１０９）を含めて構成してある。メダル遊技機島１０１の内部の幅方向中央上部領域には、実線で示すメダル処理システム１を設置してある。メダル処理システム１は、次項以下で述べるように、各メダル遊技機１０３にメダルを補給するとともに、各メダル遊技機１０３から一斉又は個別にメダルを回収するための処理機構である。なお、本実施形態におけるメダル遊技機にはスロットマシンを採用したが、スロットマシン以外のメダル遊技機も採用可能であることは言うまでもない。
【００１７】
（メダル処理システムの概略構造）
図１及び５に基づいて説明する。メダル処理システム１は、メダル補給機構２、メダル払出装置（メダル払出装置群）９、メダル回収機構２１、メダル洗浄装置３１及びシステム制御装置５１と、により概略構成してある。メダル補給機構２は、メダル遊技機群１０３にメダル補給を行う機構である。メダル払出装置群９は、各々メダル遊技機１０３内部に設けてある装置であって、メダル払出を行うためのものである。メダル回収機構２１は、メダル払出装置群９から回収したメダルを洗浄してメダル補給機構２に供給する機構である。すなわち、メダル処理システム１は、メダル遊技機島１０１内においてメダルを補給回収し、その間にメダル洗浄を行う総合システムのことをいう。
【００１８】
（メダル補給機構の構造）
図１及び５に基づいて説明する。メダル補給機構２は、メダル補給装置３、メダル補給コンベア４、貯留タンク（貯留タンク群）５及び落下シュート（落下シュート群）７と、により構成してある。メダル補給装置３は、メダル遊技機島１０１の上部の一端内部に設けてあり、多数のメダルを貯留可能な上部タンク３ｔと、上部タンク３ｔのメダル排出口に設けたゲート３ｇ及びゲート３ｇを通過するメダル数をカウントするための補給カウントセンサー３ｓと、により構成してある。ゲート３ｇの開閉制御は、後述するシステム制御装置５１に行わせ、また、ゲート３ｓのカウント信号３ｓ−３はシステム制御装置５１（ホールコンピュータ５３）に送信させるように、それぞれ構成してある。上部タンク３ｔの排出口から排出されたメダル群は、メダル遊技機島１０１の長さ方向（メダルの搬送方向）に延びるメダル補給コンベア４上に載置され、メダル補給コンベア４の駆動により搬送させるようになっている。メダル補給コンベア４の駆動制御は、システム制御装置５１（ホールコンピュータ５３）に担わせてあり、メダル補給装置３のメダル補給と連動するように設定してある。メダル補給コンベア４の駆動制御については、ホールコンピュータ５３の動作について説明する際に併せて説明する。
【００１９】
メダル補給コンベア４の両脇には、複数の貯留タンク（貯留タンク群）５，・・を、メダル遊技機１０３の各々に対応して配置してある。各貯留タンク５は、メダル補給コンベア４によって搬送されてきたメダル群を一時的に貯留させるためのものであって、貯留させたメダル量は付属させたエンプティセンサー５ｓにより監視させてある。貯留タンク群５を設けたのは、メダル遊技機１０３に対して即座にメダル補給を可能にすることによって、メダル遊技に伴いメダル遊技機１０３が短時間のうちに大量のメダルを必要とする場合にそのメダル需要に迅速に応えられるようにするためである。エンプティセンサー５ｓのカラ信号は、システム制御装置５１（台コンピュータ５５経由でホールコンピュータ５３）に送信される。メダル補給コンベア４と各貯留タンク５との間には、ゲート５ｇを設けてあり、メダル補給コンベア４上にあってゲートが閉鎖時であれば通過するメダルを、開放により貯留タンク５内に導かせるように構成してある。ゲート５ｇの制御は、システム制御装置５１（台コンピュータ５５経由でホールコンピュータ５３）が行う。
【００２０】
各貯留タンク５には、落下シュート（落下シュート群）７を設けてある。落下シュート７は、メダル払出装置（メダル払出装置群）９が有する遊技機内ホッパー（遊技機内ホッパー群）１０に、貯留タンク５に貯留してあるメダル群から所定数のメダルを落下補給可能に構成してある。落下シュート７には、ゲート７ｇ及びゲート７ｇを通過するメダル数をカウントするための補給カウントセンサー７ｓを設けてある。ゲート７ｇの開閉は、システム制御装置５１（台コンピュータ５５経由でホールコンピュータ５３）の指令によって行われる。
【００２１】
（メダル払出装置の構造）
図１、２及び５に基づいて説明する。メダル払出装置９は、メダル群を貯留するための遊技機内ホッパー１０と、遊技機内ホッパー１０に貯留してあるメダル群から所望枚数のメダルを払い出すための払出駆動部１１と、から概略構成してある。遊技機内ホッパー１０は、上方に開放しており、上述した落下シュート７から落下してくるメダルを受け取れるように構成してある。遊技機内ホッパー１０の下端は開口させてあり、その開口には払出駆動部１１に含まれる回転円盤１２を臨ませてある。回転円盤１２には、各々メダル１枚が入り得る複数の受入孔１２ｈ,・・を厚み方向（図２紙面厚み方向）に貫通させてあり、各受入孔１２ｈ,・・に受け入れられたメダルは、回転円盤１２の回転に伴いメダルシュート１３から払い出され、払い出されるときに払出カウントセンサー１３ｓによってカウントされるようになっている。メダル払出方向の切替は、払出駆動部１１が内蔵する切替機構１４がその役目を担っている。切替機構１４は、その一部を構成するメダルシュート１３の払出方向を切り替えることによってメダル払出方向の切替を行う。すなわち、切替機構１４には、システム制御装置５１（台コンピュータ５５経由でホールコンピュータ５３）の指令に基づき、メダル受け皿１０５の方向（正面方向）とメダル回収機構２１の方向（側方方向）との間で切り替える機能を持たせてある。なお、上記した切替機構１４は、１個のメダルシュート１３を水平方向に移動させることにより切替可能に構成してあるが、２個のメダルシュートを設けて、払い出したい方向にあるシュートを開放し他方のメダルシュートを閉鎖することによって切り替えるように構成してもよい。さらに、メダルシュートは１個であるが、そのメダルシュートの中で、たとえば、案内片（図示を省略）を駆動させ、その駆動によって払出方向を切り替える方法もある。
【００２２】
（メダル回収機構構造）
図１乃至４に基づいて説明する。メダル回収機構２１は、受取シュート（受取シュート群）２２と、搬送レール２３と、回収タンク２７、ミニリフト２８及びメダル揚送装置２９と、により基本的に構成してあり、本実施形態ではさらにメダル洗浄装置３１を設けてある。受取シュート２２は、各メダル払出装置群９がメダル回収時に払い出すメダルを受け取るために各メダル払出装置９の側方に位置させたシュートであって、受け取ったメダル群をその終端に配した搬送レール２３上に滑り落させるためのものである。つまり、受取シュート２２は、メダルシュート１３と搬送レール２３との間のメダル橋渡し役を担っている。
【００２３】
搬送レール２３は、メダル遊技機島１０１の長さ方向に長く、受取シュート群２２から受け取ったメダル群をメダル遊技機島１０１の一端に設けた回収タンク２７にその傾斜を利用して滑走搬送可能に構成してある。搬送レール２３の上面には、メダルの直径よりも小さな直径の搬送ボール群２４を敷き詰めてある。搬送レール２３の幅方向に並ぶ複数の搬送ボール２４同士は、支軸２５,・・によって搬送レール２３に回転自在に取り付けてあり、これによって、各搬送ボール２４は、何れも算盤玉のように搬送レール２３の搬送方向に回転するようになっている（図４参照）。また、符号２６は、閉鎖部材を示しており、閉鎖部材２６は、搬送ボール群２４を構成する各搬送ボール２４の上半分未満を露出させながら各搬送ボール２４間を閉鎖可能に構成してある。閉鎖部材２６は、各搬送ボール２４の回転を妨げることなく各搬送ボール２４同士の間を閉鎖することによって各搬送ボール２４間にメダルを入り込ませないようにしている。
【００２４】
上記構成により、メダル回収時において、メダル払出装置９からメダルシュート１３を介して払い出されたメダル群は、受取シュート２２によって搬送ボール群２４上に案内され、案内されたメダル群は、搬送ボール群２４上を滑走することによって回収タンク２７に搬送される。メダル群の滑走は、搬送レール２３（搬送ボール群２４）の傾斜によって生じる。各搬送ボール２４の上半分未満は、閉鎖部材２６から露出させてあるので、載置されたメダル下面とほぼ点接触する状態にある。点接触であるから搬送ボール２４とメダルとの間の摩擦は、面接触に比べて小さくなり、摩擦が小さいことによって円滑なメダル滑走を実現する。他方、この摩擦は、搬送ボール群２４の回転によって吸収され、メダル滑走の大きな障害にはならない。搬送ボール２４各々の直径はメダルの直径よりも小さく設定してあるため、敷き詰めた搬送ボール間の距離は概ねメダルの直径よりも小さくなる。すなわち、載置されたメダルは複数の搬送ボール２４，・・によって下方から支持されるので、安定した搬送が可能になる。メダル回収は多数のメダルが一機に回収されるので、円滑であるとともに安定であることはメダル搬送にとって極めて重要な要素である。つまり、回収ベルトで搬送したならその回収ベルトはメダル群の重みでしなる等のおそれがあるためそのようなおそれを避けるための機構が必要となるが、搬送ボール群２４による搬送であればそのような複雑な機構を設けなくてもしなり等を生じさせずにメダル回収を行うことができる。もっとも、上記おそれを避けるための機構等を設けた回収ベルトや、その他の従来から用いられている搬送手段を用いることを妨げるものではないことは言うまでもない。
【００２５】
なお、搬送レール２３（搬送ボール２４，・・）は、これを傾動構造（図示を省略）によってその傾斜角を変更可能に構成することができる。この場合、たとえば、搬送レール２３（搬送ボール２４，・・）に載置されたメダルの一部又は全部の重量を計測する重量センサー（図示を省略）を設けておき、計測した重量に応じて連続的又は段階的に傾斜角を変更できるように構成するとよい。計測重量が重ければ重いほど、搬送レール２３（搬送ボール２４，・・）上にメダルが停滞していることが予想され、メダル停滞があると後続するメダルの回収の妨げとなりかねない。このため、重量に応じて傾斜角を大きく（勾配を急にする）することによって、メダル滑走を促し、もって、メダル回収を迅速に行わせるためである。
【００２６】
他方、回収タンク２７は、搬送レール２３によって搬送されたメダル群を一時的に貯留するとともに、必要に応じてミニリフト２８にメダル群を供給する役目を担っている。供給されたメダル群は、ミニリフト２８の駆動により揚送され、メダル洗浄装置３１内に投入されるようになっている。メダル洗浄装置３１は、搬送レール２３から受け取ったメダル群を洗浄する機能を備えており、洗浄したメダル群はメダル揚送装置２９を介してメダル補給装置３に供給可能に構成してある。メダル洗浄装置２９を設けることによって、回収したメダルがメダル洗浄装置２９によって洗浄された後にメダル補給機構３に供給されることになる。このため、メダル補給機構３が補給するメダルは、常にメダル洗浄装置２９によって洗浄されたメダルであるから、メダル払出装置３１によって払い出されるメダルすなわち、遊技客が手にするメダルは洗浄された清潔なものとなる。メダル洗浄によって、メダル補給機構３を含むメダル補給経路に汚れが付着して補給障害が生じることを未然に防止することができる。汚れたなら清掃をしなければならなかったであろう、また、補給障害が生じれば点検修理等が必要であったであろう従業員等の負担を、メダル洗浄装置を設けることによって軽減可能になる。さらに、遊技客に清潔なメダルを手にさせることによって遊技客が手の汚れを気にせずに遊技に集中させる等の副次的効果をも期待することができ、これが、遊技客と接する従業員等の精神的肉体的な負担軽減にも寄与する。なお、メダル洗浄装置３１が行うメダル洗浄方法には、たとえば、洗剤等を用いて洗浄する方法でもよいし、ブラシ等により研磨する方法がある。メダル揚送装置２９自体がメダル洗浄機能又はメダル研磨機能を備えている場合には、つまり、メダル揚送装置２９自体がメダル洗浄装置として機能する場合には、メダル洗浄装置３１を省略することができる。
【００２７】
（システム制御装置の構造）
図５を参照する。システム制御装置５１は、メダル遊技場を管理するホールコンピュータ５３と、複数台のメダル遊技機１０３各々に対応させてメダル遊技機島１０１に設けた台コンピュータ（台コンピュータ群）５５と、メダル払出装置９の各々が備える払出装置制御部５７と、により構成してあり、さらに、上記三者は互いに通信可能に設定してある。ホールコンピュータ５３にはメダル遊技機１０３,・・の遊技状態を管理するためのプログラムのほか、メダル処理システム１を動作させるためのプログラムを格納してある。台コンピュータ５５各々には、対応するメダル遊技機１０３からの信号をホールコンピュータ５３の中継装置として制御したり、または自身が信号を収集し管理する制御プログラムが格納してある。払出装置制御部５７は、メダル遊技機１０３の遊技制御装置（図示を省略）から指令を受けてメダル払出装置９にメダル払出を行わせたり、台コンピュータ５５（ホールコンピュータ５３）からの指令により払出方向を切り替えさせてメダル払出装置９内のメダルを全て払出させる機能を有している。
【００２８】
（メダル処理システムの動作手順）
図１及び５〜８を参照する。ここでは、遊技場におけるある日の営業が終わり閉店してから翌日の開店までの動作手順について説明する。まず、閉店を控えた従業員は、回収モードを指定する。ここで、回収モードとは、閉店に際してメダル回収を行うためのモードであって、本実施形態における回収モードには次の態様と指定方法を設定してある。すなわち、回収モードにおけるメダル回収は、たとえば閉店時に全部のメダル遊技機１０３，・・について行うのが一般的であるが、たとえば、特定の遊技機島のみについて回収を行ったり、特定のメダル遊技機のみについて回収を行ったりすることもできる。そのような回収モードの指定は、ホールコンピュータ５３から行う。具体的には、図６に示すホールコンピュータ５３の表示部５４に表示されたボタン５４ａ〜５４ｄのうち何れかをクリックすることにより指定する。通常は、「全台指定」を示すボタン５４ａを、他のボタンの色（仮に「青」とする）と異なる色（仮に「赤」とする）に表示させる。本実施形態では、上記一般例に倣い、全部のメダル遊技機からメダル回収する、すなわち、「全台指定」を原則としているからである。ここで、各メダル遊技機１０３に振り分けてある番号（台番）を指定してメダル回収を行う場合は、「台番指定」を示すボタン５４ｂをクリックする。ボタン５４ｂをクリックすると、それまで青であったボタン５４ｂが赤に変わり、その代わりに赤であったボタン５４ａが青に変わる。ボタン５４ｂをクリックしたら、その右隣にある台番の指定リスト画面５４ｇにて台番を指定する。本実施形態における指定は、指定リスト画面５４ｇに表示された台番をクリック（以下、適宜「クリック指定」という）することにより行うようになっている。これと同様に、ボタン５４ｃはメダル遊技機１０３，・・のうち１又は２以上の特定の機種を指定（機種別指定）する場合に、また、ボタン５４ｄは複数あるメダル遊技機島１０１，・・のうち特定のメダル遊技機島を指定（島別指定）する場合に、それぞれクリックし、指定リスト画面５４ｇに機種名又はメダル遊技機島番号をクリックによって指定する。たとえば、ボタン５４ｄをクリックした後に、全台指定に戻したい場合は、ボタン５４ａをクリックすれば、ボタン５４ｄの指定は解除されるようになっている。
【００２９】
上記した回収モードの指定についてのホールコンピュータ５３の動作を、図５乃至７に基づいて説明する。すなわち、まず、閉店後のメダル回収に当たって全台指定かそれとも全台指定以外の指定なのかを確認する（Ｓ１）。ここで、従業員が全台指定を行った場合のホールコンピュータ５３は、全部のメダル遊技機１０３，・・から回収を行う回収モードを指定し（Ｓ３）、閉店信号５３ｓ−１を全部の台コンピュータ５５に送信する（Ｓ５）。他方、Ｓ１において、全台指定以外の指定が行われた場合のホールコンピュータ５３は、その指定が台番指定なのか（Ｓ７）、または機種指定なのか（Ｓ１３）を判断する。Ｓ７において台番指定が指定された場合のホールコンピュータ５３は、指定リスト画面５４ｇにてクリック指定された台番の表示色を変更する（たとえば、黒表示していた台番を赤表示する）等して特定表示を行い（Ｓ９）、さらに、指定された台番に係る台コンピュータ５５（払出装置制御部５７）を閉店信号送信対象に指定する（Ｓ１１）。その後、ホールコンピュータ５３は、Ｓ５に進み閉店信号５３ｓ−１を上記送信対象指定に係る台コンピュータ５５各々に送信する。Ｓ１３において機種指定が指定された場合のホールコンピュータ５３は、指定リスト画面５４ｇにてクリック指定された機種番号の表示色を、上記台番指定の場合と同様な方法により特定表示を行い（Ｓ１５）、さらに、指定された機種番号に対応した台番号に係る台コンピュータ５５（払出装置制御部５７）を閉店信号送信対象に指定する（Ｓ１７）。その後、ホールコンピュータ５３は、Ｓ５に進み閉店信号５３ｓ−１を上記送信対象指定に係る台コンピュータ５５各々に送信する。Ｓ１３において機種指定がなされなかったときのホールコンピュータ５３は、指定リスト画面５４ｇにてクリック指定されたメダル遊技機島の表示色を、上記台番指定の場合と同様な方法により特定表示を行い（Ｓ１９）、さらに、指定されたメダル遊技機島に設置してある台コンピュータ５５（払出装置制御部５７）を閉店信号送信対象に指定する（Ｓ２１）。その後、ホールコンピュータ５３は、Ｓ５に進み閉店信号５３ｓ−１を上記送信対象指定に係る台コンピュータ５５各々に送信する。
【００３０】
図１、２、５及び８に基づいて、説明を続ける。閉店信号５３ｓ−１を受けた台コンピュータ５５は、払出装置制御部５７に閉店信号５５ｓ−１を送信し、閉店信号５５ｓ−１を受信した払出装置制御部５７は、次のように動作する。すなわち、払出装置制御部５７は切替機構１４に切替指令を送りメダル受け皿１０５方向に向いているメダルシュート１３のその払出方向を、メダル回収機構２１の受取シュート２２方向に切替させる（Ｓ３１）。ここで、払出装置制御部５７は、メダルシュート１３の払出方向の切替が完了したかどうかを確認し（Ｓ３２）、切替完了を確認したら、内蔵メモリに格納してあるリトライ回数をクリアして（Ｓ３３）、Ｓ３４に進む。リトライ回数とは、メダルシュートの切替指令を出力したが切り替えが行われなかったため、再度出力した切替指令の回数のことをいう。Ｓ３４における払出装置制御部５７は、払出駆動部１１に払出信号を送信する（Ｓ３４）。払出信号を受けた払出駆動部１１は回転円盤１２を回転させ、受入孔１２ｈ，・・に受け入れたメダル群をメダルシュート１３から払い出す。メダルシュート１３から払い出されるメダル（メダル群）は払出カウントセンサー１３ｓによってカウントされ、払出カウントセンサー１３ｓのカウント信号５７ｓ−１は台コンピュータ５５を介してホールコンピュータ５３に送信される（Ｓ３５）。
【００３１】
メダル払出、すなわち、回転円盤１２の回転は、遊技機内ホッパー１０内のメダルをすべて払い出すまで継続され（Ｓ３６）、払出完了を認識したらその旨を示す払出終了信号５７ｓ−２を台コンピュータ５５経由でホールコンピュータ５３に送信し、このプログラムを終了する（Ｓ３７）。払出終了信号５７ｓ−２を送信した払出装置制御部５７は、これと並行して払出駆動部１１に指令を送り回転円盤１２の回転を停止させる。払出完了の認識は、回転円盤１２の回転が続く中で、所定時間内に１枚も払い出されない（カウント信号が出力されない）ときに行うように設定してある。Ｓ３２において、メダルシュート１３の払出方向の切替が完了しないときは、切替指令を間欠的に出力し、その出力回数（リトライ回数）を内臓メモリに登録する（Ｓ３８）。切替指令を間欠的に出力する中で、所定時間内を経過するまではＳ３１、Ｓ３２、Ｓ３８を繰り返す（Ｓ３９）。Ｓ３９において、払出装置制御部５７がカウントする上記所定時間を経過したときに、切替機構１４に何らかの異常があるものと判断し、その旨を示す異常信号５７ｓ−３を台コンピュータ５５経由でホールコンピュータ５３に送信する（Ｓ４０）。異常信号５７ｓ−３を出力した払出装置制御部５７は、内蔵メモリに登録したリトライ回数をクリアして、このプログラムを終了する（Ｓ４１）。なお、リトライ回数が予め定めた所定回数に到達した場合には強制的に異常信号出力を行うようにしてもよい。
【００３２】
各メダル払出装置９から払い出されたメダル群は、受取シュート２２の上を滑走し、その勢いで搬送レール２３の搬送ボール群２４上に乗りあがる。搬送レール２３の傾斜は、乗りあがってきたメダル群を滑走させ、メダル群を回収タンク２７内に搬送する。回収タンク２７は、搬送レール２３によって搬送されたメダル群を一時的に貯留するとともに、必要に応じてミニリフト２８にメダル群を供給する。ミニリフト２８へのメダル供給は、メダル補給装置３の上部タンク３ｔに設けた満タンセンサー３ｐ（図１参照）がメダル貯留量の不足を示したときに同じく充足を示すまで行われるようになっている。ミニリフト２８は、供給されたメダル群をメダル洗浄装置３１に投入可能な高さまで揚送する。メダル洗浄装置３１は、ミニリフト２８から受け取ったメダルを洗浄し、メダル揚送装置２９に供給する。メダル揚送装置２９は揚送したメダル群を上部タンク３ｔ内に送りこむ。上部タンク３ｔの満タンセンサー３ｐが満タン信号を出力することにより、これを受けたミニリフト２８が停止し、それ以上のメダル揚送は行われない。本実施形態では、閉店後のメダル回収の後、可能量のメダル群を洗浄し上部タンク３ｔに貯留するように設定してあるが、これは、遊技により汚れたメダルはなるべく早く洗浄したほうが汚れを洗浄しやすいと考えたからであって、そのような必要がない場合その他の事情がある場合は、メダル回収のみにとどめメダル洗浄を翌日の開店の際に行うようにすることもできる。
【００３３】
なお、図８に示すフロー外の動作ではあるが、メダル払出装置９が通常遊技の際にメダル払出を行う場合のほか、メダル貸機１０９から送信されたメダル貸し信号１０９ｓ（図５参照）に基づいてメダル払出が行われる場合もある。すなわち、メダル貸し信号１０９ｓは、メダル貸機１０９に対する遊技者による金銭投入によって出力され、これを台コンピュータ５５経由で受信したホールコンピュータ５３は、払出信号５３ｓ−４を台コンピュータ５５経由で払出装置制御部５７へ送信し、所定枚数のメダルをメダル受け皿１０５に払い出させる。この場合、メダル払出装置９は遊技状態にあり、したがって、メダルシュート１３がメダル受け皿１０５方向に向いている。払い出されたメダル数は、カウント信号５７ｓ−１によってホールコンピュータ５３に報告される。通常遊技の際のメダル払出と、上記メダル貸し信号１０９ｓに基づくメダル払出と、前記した閉店信号５３ｓ−１に基づくメダル払出と、は、何れもメダルシュート１３を介して行われ、すなわち、払出信号５３ｓ−４が出力されるので、ホールコンピュータ５３は、どのような状態にあってもメダル払出数を把握可能になっている。
【００３４】
次に、翌日における開店の動作手順について説明する。先日のメダル回収により、各メダル払出装置９にはメダルが残っておらず、さらに、各メダル払出装置９のメダルシュート１３はメダル受け皿１０５の方向に向いていない。メダル遊技場の開店準備は、ホールコンピュータ５３が開店信号５３ｓ−３（図５参照）を出力することから始まるが、これに基づき、まずメダルシュート１３の払出方向を切り替え、次いで、メダル補給を行う。以下、各々の動作の詳細を説明する。
【００３５】
図１、２、５及び９を参照する。開店信号５３ｓ−３を受けた台コンピュータ５５は、払出装置制御部５７に開店信号５５ｓ−３を送信し、開店信号５５ｓ−３を受信した払出装置制御部５７は、次のように動作する。すなわち、払出装置制御部５７は切替機構１４に作動信号を送り受取シュート２２方向に向いているメダルシュート１３のその払出方向を、メダル遊技機１０３のメダル受け皿１０５方向に切替させる（Ｓ５１）。ここで、払出装置制御部５７は、メダルシュート１３の払出方向の切替が完了したかどうかを確認し（Ｓ５２）、切替完了を確認したら、内蔵メモリに格納してあるリトライ回数をクリアして（Ｓ５３）、Ｓ５４に進む。Ｓ５４における払出装置制御部５７は、メダルシュート１３の切り替えが正常終了した旨を示す正常終了信号５７ｓ−４を出力してプログラムを終了する（Ｓ５４）。Ｓ５２において、メダルシュート１３の払出方向の切替が完了しないときは、切替指令を間欠的に出力し、その出力回数（リトライ回数）を内臓メモリに登録する（Ｓ５５）。切替指令を間欠的に出力する中で、所定時間内を経過するまではＳ５１、Ｓ５２、Ｓ５５を繰り返す（Ｓ５６）。Ｓ５６において、上記所定時間を経過したときに、切替機構１４に何らかの異常があるものと判断し、その旨を示す異常信号５７ｓ−３を台コンピュータ５５経由でホールコンピュータ５３に送信する（Ｓ５７）。異常信号５７ｓ−３を出力した払出装置制御部５７は、内蔵メモリに登録したリトライ回数をクリアして、このプログラムを終了する（Ｓ５８）。なお、リトライ回数が予め定めた所定回数に到達した場合には強制的に異常信号出力を行うようにしてもよい。
【００３６】
図１、２、５、及び１０に基づいて、払出装置制御部５７から信号を受信したときのホールコンピュータ５３の動作について説明する。すなわち、払出装置制御部５７からの信号を受信したホールコンピュータ５３は（Ｓ６１）、その信号が通常払出（遊技中における払出）に係るアウト信号なのか、メダル回収に係るものなのかを判断する（Ｓ６３）。ここで、通常払出、すなわち、遊技に基づく払出及びメダル貸出に基づく払出である場合は、メダルシュート１３がメダル受け皿１０５（図２参照）方向に向いているか、すなわち、メダルシュート１３の払出方向の状態を確認する（Ｓ６５）。Ｓ６５において正常終了を確認したら、開店信号５３ｓ−３（図５参照）が出力状況を確認する（Ｓ６７）。Ｓ６７において開店信号出力済みを確認したら、上部タンク３ｔ（図１参照）の制御部（図示を省略）にメダル補給信号５３ｓ−６（図５参照）を送信し、メダル補給を指示する（Ｓ６９）。メダル補給指示を受けてゲート３ｇが開放する。
【００３７】
開放したゲート３ｇを通過したメダル群は補給カウントセンサー３ｓによってその数がカウントされつつ、メダル補給コンベア４上に載置される。補給カウントセンサー３ｓのカウント信号３ｓ−３はホールコンピュータ５３に送信される。載置されたメダルは、メダル補給コンベア４の駆動によって搬送され、各貯留タンク５から出力されるカラセンサー（エンプティセンサー）５ｓのカラ（エンプティ）信号５ｓ−１（図５参照）に基づいて当該カラ信号５ｓ−１を出力した貯留タンク５に対して補給されるように構成してある。メダル補給は、貯留タンク５のカラセンサー５ｓからカラ信号５ｓ−１（図５参照）の切断を認識するまで継続させ（Ｓ７１）、カラ信号５ｓ−１の切断を認識したところでメダル補給停止信号５３ｓ−７を上記制御部に送信する。ここで、制御部は、ゲート３ｇを閉鎖してメダル補給を停止する。各貯留タンク５へのメダル補給は、遊技場開店中において上記手順に基づいて適宜行われ、各貯留タンク５（遊技機内ホッパー１０）内のメダルが不足しないように考慮してある。貯留タンク５へのメダル補給は各貯留タンク近傍に設けてゲート５ｇ（図５参照）の開閉によって行われ、ゲート５ｇの開閉はホールコンピュータ５３の指令に基づいて台コンピュータ５５から出力されるメダル補給信号５５ｓ−７（図５参照）を受けて行われる。また、貯留タンク５からメダル払出装置９の遊技機内ホッパー１０への供給はゲート７ｇ（図５参照）の開閉により行われ、ゲート７ｇの開閉はホールコンピュータ５３から出力されるメダル補給信号５３ｓ−８に基づいて行われる。なお、ゲート７ｇを通過するメダル数をカウントするカウントセンサー７ｓ（図５参照）のカウント信号７ｓ−１は、ホールコンピュータ５３に送信される。
【００３８】
Ｓ６３において、通常払出に係るものではないと判断した場合のホールコンピュータ５３は、払出装置制御部５７から受信した信号がメダル回収に係るものであるとみなし、各メダル払出装置９が有する遊技機内ホッパー１０から強制的に払い出されたメダル枚数を、そのメダル払出装置９に係る台番号とともに表示部５４（図１０参照）に表示する（Ｓ７５）。
【００３９】
Ｓ６５において、メダルシュート１３の払出方向が正常に終了していなかったことを確認したホールコンピュータ５３は、各メダル払出装置９が有する遊技機内ホッパー１０から払い出されたメダル枚数を、そのメダル払出装置９に係る台番号とともに表示部５４に表示する（Ｓ７５）。図１０に示す表示部５４が示す数字１，２，・・・２４９はメダル遊技機１０３の台番号を示し、上記数字に付記した括弧の中の数字は、そのメダル遊技機１０３内に残っていたメダルに対して強制的に払い出したメダル枚数を示している。したがって、たとえば、台番号１のメダル遊技機１０３は５９枚のメダルを払い出し、台番号２００のメダル遊技機１０３は２７８枚のメダルを払い出したことを、それぞれ示している。なお、本実施形態では、当該表示の情報力を高めるために、上記台番号の色分け表示を可能にしてある。これは、メダル払出が正常に行われたときは、たとえば、「黒」表示してある台番号を、正常に払い出されなかったときに、たとえば、「赤」表示するなどして色分けすることによって、正常払出と異常払出を識別できるようにするためである。
【００４０】
Ｓ６７において、開店信号５３ｓ−３が出力されていないことを確認したホールコンピュータ５３は、各メダル払出装置９が有する遊技機内ホッパー１０から払い出されたメダル枚数を、そのメダル払出装置９に係る台番号とともに表示部５４に表示して（Ｓ７５）、その旨を従業員等に知らせ、開店信号５３ｓ−３を出力するための操作を促す。
【００４１】
これまで、メダル遊技場におけるある日の営業が終わり閉店してから翌日の開店までの動作手順を説明した。この時点で、各メダル払出装置９の遊技機内ホッパー１０は、遊技者による遊技ができる状態にある。ここで、遊技場を開店させ１日の営業を終了させたところで、前記したメダル回収を再び行うことになる。この開店に伴うメダル補給と閉店に伴うメダル回収というサイクルの中で、メダル払出装置９（遊技機内ホッパー１０）に補給されるメダル総数（図５において「補給メダル数Ｃ」で示す）は、補給カウントセンサー３ｓ、補給カウントセンサー７ｓによって、また、通常遊技の際にメダル払出装置９から払い出されるメダル総数（図５において「払出メダル数Ｂ」という）は払出カウントセンサー１３ｓによって、さらに、メダル回収の際にメダル払出装置９から払い出されるメダル総数（図５において「回収メダル数Ａ」という）は同じく払出カウントセンサー１３ｓによって、それぞれ正確にカウントされ、その結果は、すべてホールコンピュータ５３が把握している。ここで、ホールコンピュータ５３が、上記メダル数三者の演算を行うことにより、メダル抜き取り等の不正やメダル搬送における事故等の有無を監視することができる。すなわち、ある日の開店から閉店の間に何ら不正や事故等が生じていなければ、メダル収支は、{（補給メダル数Ｃ）＝（回収メダル数Ａ）＋（払出メダル数Ｂ）}の関係が成り立つはずであるが、上記等式の左辺と右辺との間に不均衡が生じればあるはずのメダルがないことになるので何らかの不正や事故等があったことを従業員に認識させることができる。
【００４２】
さらに、本実施形態のメダル処理システム１によれば、従業員がホールコンピュータ５３に閉店信号５３Ｓ−１を出力させるだけで各メダル遊技機１０３（メダル払出装置９）からメダル回収を一斉に（必要に応じて台別、機種別、島別に）行うことできる。したがって、従業員がメダル遊技機１０３一台一台のドアを開放等する必要がなくなり、その分、従業員の負担を軽減することができる。
【図面の簡単な説明】
【００４３】
【図１】メダル供給機構を備えたメダル遊技機島の正面図である。
【図２】搬送レールとメダル払出装置との関係を示す拡大平面図である。
【図３】搬送レールの拡大平面図である。
【図４】搬送ボール群の拡大側面図である。
【図５】メダル処理システムの全体を示すブロック図である。
【図６】ホールコンピュータの表示部を示す図である。
【図７】閉店後におけるメダルシュートの払出方向の切替手順を示すフローチャートである。
【図８】メダル回収の動作手順を示すフローチャートである。
【図９】開店後におけるメダルシュートの払出方向の切替手順を示すフローチャートである。
【図１０】払出装置制御部から信号を受信したときのホールコンピュータの動作手順を示す図である。
【符号の説明】
【００４４】
１          メダル処理システム
２          メダル補給機構
３          メダル補給装置
３ｇ        ゲート
３ｓ        カウントセンサー
３ｐ        満タンセンサー
３ｔ        上部タンク
４          メダル補給コンベア
５          貯留タンク（貯留タンク群）
５ｇ        ゲート
５ｓ        エンプティセンサー
７          落下シュート（落下シュート群）
７ｇ        ゲート
７ｓ        カウントセンサー
９          メダル払出装置（メダル払出装置群）
１０          遊技機内ホッパー（遊技機内ホッパー群）
１１          払出駆動部
１２          回転円盤
１２ｈ        受入孔
１３          メダルシュート
１３ｓ        カウントセンサー
１４          切替機構
２１          メダル回収機構
２２          受取シュート（受取シュート群）
２３          搬送レール
２４          搬送ボール（搬送ボール群）
２５          支軸
２６          閉鎖部材
２７          回収タンク
２８          ミニリフト
２９          メダル揚送装置
３１          メダル洗浄装置
５１          システム制御装置
５３          ホールコンピュータ
５４          表示部
５４ａ，５４ｂ，５４ｃ，５４ｄ      ボタン
５４ｇ        指定リスト画面
５５          台コンピュータ（台コンピュータ群）
５７          払出装置制御部
１０１          メダル遊技機島
１０３          メダル遊技機（メダル遊技機群）
１０５          メダル受け皿
１０９          メダル貸機（メダル貸機群）
【図１】
2006247256.tif 000003
【図２】
2006247256.tif 000004
【図３】
2006247256.tif 000005
【図４】
2006247256.tif 000006
【図５】
2006247256.tif 000007
【図６】
2006247256.tif 000008
【図７】
2006247256.tif 000009
【図８】
2006247256.tif 000010
【図９】
2006247256.tif 000011
【図１０】
2006247256.tif 000012